(57)【要約】【課題】屋内での使用に適した屋内用打ち揚げ花火を提供する。【解決手段】容器状の玉皮３内に着火兼開発用火薬５と星７とを詰め込むと共に、導火線９をその一端９ａが玉皮内に臨み、他端９ｂが玉皮の外部に露出した状態で配設してなる打ち揚げ花火において、該打ち揚げ花火全体を屋内での使用に適した大きさに小型化し、前記着火兼開発用火薬は、酸化剤と可燃物とよりなる爆発威力の高い火薬組成物を調合し、該火薬組成物に金属粉末を混ぜることにより爆発威力を抑制すると共に燃焼温度を高めるようにしてなることを特徴とする屋内用打ち揚げ花火。前記星の表面には前記着火兼開発用火薬と同様の星塗着用火薬１１を塗着する。前記星は、液状ポリブタジエン又は液状ポリプロピレンを硬化剤としてのジイソシアネート化合物と反応させてなるゴム状ポリマーを含むものでもよい。前記星は紙片等の飾材でもよい。【選択図】図１
2006308260.tif 000002
【特許請求の範囲】
【請求項１】
容器状の玉皮内に着火兼開発用火薬と星とを詰め込むと共に、導火線をその一端が玉皮内に臨み、他端が玉皮の外部に露出した状態で配設してなる打ち揚げ花火において、
該打ち揚げ花火全体を屋内での使用に適した大きさに小型化し、
前記着火兼開発用火薬は、酸化剤と可燃物とよりなる爆発威力の高い火薬組成物を調合し、該火薬組成物に金属粉末を混ぜることにより爆発威力を抑制すると共に燃焼温度を高めるようにしてなることを特徴とする屋内用打ち揚げ花火。
【請求項２】
前記星の表面には星塗着用火薬を塗着し、該星塗着用火薬は、酸化剤と可燃物とよりなる爆発威力の高い火薬組成物を調合し、該火薬組成物に金属粉末を混ぜることにより爆発威力を抑制すると共に燃焼温度を高めるようにしてなることを特徴とする請求項１に記載の屋内用打ち揚げ花火。
【請求項３】
前記星は、液状ポリブタジエン又は液状ポリプロピレンを硬化剤としてのジイソシアネート化合物と反応させてなるゴム状ポリマーを含むことを特徴とする請求項１又は２に記載の屋内用打ち揚げ花火。
【請求項４】
前記星は、紙片、プラスチック片、金属片等の飾材であることを特徴とする請求項１に記載の屋内用打ち揚げ花火。
【発明の詳細な説明】
【技術分野】
【０００１】
本発明は、屋内用打ち揚げ花火に関するものであり、例えば、結婚披露宴、祝賀会、同窓会、同級会、新年会、誕生会等のパーティその他の集まり等において、屋内で使用される小型の打ち揚げ花火に係るものである。
【背景技術】
【０００２】
打ち揚げ花火としては、例えば実開平６−８４１９９号公報に示すように、容器状の玉皮内に着火兼開発用火薬（割り薬）と星とを詰め込むと共に、導火線をその一端が玉皮内に臨み、他端が玉皮の外部に露出した状態で配設してなるものが従来より知られている。以下、この打ち揚げ花火を「従来の打ち揚げ花火」という。
【０００３】
従来の打ち揚げ花火を打ち揚げる際には、打ち揚げ筒内の底部上に打ち揚げ火薬を配設し、打ち揚げ花火（煙火玉）を打ち揚げ筒内の打ち揚げ火薬上に載置した状態で、「ロー火」（落とし火）なる火種を上方より打ち揚げ筒内に投入する。しかるときは、ロー火の火は、打ち揚げ筒の内面と打ち揚げ花火の外面との間の隙間を通って打ち揚げ火薬に点火する。すると、打ち揚げ火薬の燃焼により打ち揚げ花火が上方に発射されると共に打ち揚げ花火の導火線が着火する。やがて、上空で導火線の火が玉皮内の着火兼開発用火薬に着火し、該着火兼開発用火薬が爆発し、玉皮を開発させて星を空中に飛散させると同時に各星に点火し、各星は空中で燃焼して火の花を形成する。
【特許文献１】実開平６−８４１９９号公報
【発明の開示】
【発明が解決しようとする課題】
【０００４】
従来の打ち揚げ花火は、これを打ち揚げたときには、美しい火の花を形成するのであるが、従来の打ち揚げ花火は、専ら屋外にて上空に打ち揚げられるものであり、屋内にて使用することはできない。
【０００５】
即ち、従来の打ち揚げ花火は、最小でも直径２ｃｍ程度であり、これよりも小さな打ち揚げ花火は従来存在しない。
【０００６】
けだし、従来の打ち揚げ花火をその構成を保持させたまま更に小型化した場合には、着火性に優れた小型の星がなく、更に、開発時に適正に玉皮を割ると同時に星に確実に着火兼開発用火薬させ得る火薬がないからである。
【０００７】
従って、屋内で使用することができる小型の打ち揚げ花火は、花火愛好家の長年の夢であったにもかかわらず、実際にはこのような屋内用打ち揚げ花火は存在しないのである。
【０００８】
このような状況に鑑み、本発明は、屋内での使用に適した屋内用打ち揚げ花火を提供しようとしてなされたものである。
【課題を解決するための手段】
【０００９】
上記課題を解決するために、本発明は、下記の屋内用打ち揚げ花火を提供する。
【００１０】
（１）容器状の玉皮内に着火兼開発用火薬と星とを詰め込むと共に、導火線をその一端が玉皮内に臨み、他端が玉皮の外部に露出した状態で配設してなる打ち揚げ花火において、
該打ち揚げ花火全体を屋内での使用に適した大きさに小型化し、
前記着火兼開発用火薬は、酸化剤と可燃物とよりなる爆発威力の高い火薬組成物を調合し、該火薬組成物に金属粉末を混ぜることにより爆発威力を抑制すると共に燃焼温度を高めるようにしてなることを特徴とする屋内用打ち揚げ花火（請求項１）。
【００１１】
（２）前記星の表面には星塗着用火薬を塗着し、該星塗着用火薬は、酸化剤と可燃物とよりなる爆発威力の高い火薬組成物を調合し、該火薬組成物に金属粉末を混ぜることにより爆発威力を抑制すると共に燃焼温度を高めるようにしてなることを特徴とする請求項１に記載の屋内用打ち揚げ花火（請求項２）。
【００１２】
（３）前記星は、液状ポリブタジエン又は液状ポリプロピレンを硬化剤としてのジイソシアネート化合物と反応させてなるゴム状ポリマーを含むことを特徴とする請求項１又は２に記載の屋内用打ち揚げ花火（請求項３）。
【００１３】
（４）前記星は、紙片、プラスチック片、金属片等の飾材であることを特徴とする請求項１に記載の屋内用打ち揚げ花火（請求項４）。
【００１４】
［発明の作用］
［請求項１の発明］
請求項１の屋内用打ち揚げ花火（請求項２〜４の屋内用打ち揚げ花火においても同じ。）は、結婚披露宴、祝賀会、同窓会、同級会、新年会、誕生会等のパーティその他の集まり等において、屋内で使用される小型の打ち揚げ花火であるが、屋外で使用しても差し支えない。
【００１５】
屋内用打ち揚げ花火を使用する際には、打ち揚げ筒内の底部上に打ち揚げ火薬を配設し、打ち揚げ花火を打ち揚げ筒内の打ち揚げ火薬上に載置した状態で、打ち揚げ火薬に点火する。すると、打ち揚げ火薬の燃焼により打ち揚げ花火が上方に発射されると同時に打ち揚げ花火の導火線が着火する。続いて、導火線の火が玉皮内の着火兼開発用火薬に着火し、該着火兼開発用火薬が爆発し、玉皮を開発させて星を空中に飛散させると同時に各星に点火し、各星は空中で燃焼して火の花を形成する。
【００１６】
着火兼開発用火薬は、前述の如く、屋内用打ち揚げ花火を打ち揚げたときに、空中で玉皮を開発させると共に星に着火させる働きをなすものである。
【００１７】
着火兼開発用火薬は、星に着火させるために高い燃焼温度を有することが必要である。また、着火兼開発用火薬は、玉皮を開発させるために高い爆発威力を有することが必要である。一方、着火兼開発用火薬の爆発威力が高すぎると、爆発音が大きくなるため、屋内において花火の近傍に位置する看者に恐怖心を生じさせるおそれがある。
【００１８】
換言すれば、着火兼開発用火薬は、燃焼温度を高くし、かつ、爆発威力を適宜制御することが要求される。
【００１９】
そこで、着火兼開発用火薬は、酸化剤と可燃物とよりなる爆発威力の高い火薬組成物を調合し、該火薬組成物に金属粉末を混ぜることにより爆発威力を抑制すると共に燃焼温度を高めるようにしてなるものとする。
【００２０】
即ち、酸化剤と可燃物とよりなる火薬組成物は、爆発威力が高すぎるため、該火薬組成物に金属粉末を混ぜることにより爆発威力を抑制すると共に燃焼温度を高めるのである。
【００２１】
［請求項２の発明］
表面に星塗着用火薬を塗着した星は、小型であっても、着火性に優れている。
【００２２】
［請求項３の発明］
液状ポリブタジエン又は液状ポリプロピレンを硬化剤としてのジイソシアネート化合物と反応させてなるゴム状ポリマーを含む星は、燃焼持続性に優れ、燃焼時間が長い。
【００２３】
［請求項４の発明］
紙片、プラスチック片、金属片等の飾材である星は、空中に飛散して紙吹雪の如く舞い降りる。
【発明の効果】
【００２４】
［請求項１の発明］
請求項１の屋内用打ち揚げ花火（請求項２〜４の屋内用打ち揚げ花火においても同じ。）は、屋内での使用に適した大きさに小型化することが可能であり、結婚披露宴、祝賀会、同窓会、同級会、新年会、誕生会等のパーティその他の集まり等において、屋内で好ましく使用される。
【００２５】
即ち、この屋内用打ち揚げ花火は、屋内での使用に適した大きさに小型化したときでも、着火兼開発用火薬は星に着火させるに十分な高い燃焼温度を有し、かつ、屋内での使用に適した爆発威力、爆発音を備えている。
【００２６】
［請求項２の発明］
表面に星塗着用火薬を塗着した星は、小型であっても、着火性に優れている。
【００２７】
［請求項３の発明］
液状ポリブタジエン又は液状ポリプロピレンを硬化剤としてのジイソシアネート化合物と反応させてなるゴム状ポリマーを含む星は、燃焼持続性に優れ、燃焼時間が長いため、看者は花火の燃焼を十分に楽しむことができる。
【００２８】
［請求項４の発明］
紙片、プラスチック片、金属片等の飾材である星は、空中に飛散して紙吹雪の如く舞い降りるため、この星も看者に十分な楽しみを与える。
【発明を実施するための最良の形態】
【００２９】
本発明による屋内用打ち揚げ花火１は、容器状の玉皮３内に着火兼開発用火薬５と星７、７・・・とを詰め込むと共に、導火線９をその一端９ａが玉皮３内に臨み、他端９ｂが玉皮３の外部に露出した状態で配設してなる打ち揚げ花火である点においては、上記従来の打ち揚げ花火と基本的に同様である。
【００３０】
以下、本発明の屋内用打ち揚げ花火が上記従来の打ち揚げ花火と異なる点について説明する。
【００３１】
本発明においては、打ち揚げ花火全体１を屋内での使用に適した大きさに小型化する。
【００３２】
即ち、容器状の玉皮３を、例えば、直径３〜１０ｍｍ程度に形成し、各星７、導火線９等も該玉皮３の大きさに応じて小型に形成する。
【００３３】
着火兼開発用火薬５は、酸化剤と可燃物とよりなる爆発威力の高い火薬組成物を調合し、該火薬組成物に金属粉末を混ぜることにより爆発威力を抑制すると共に燃焼温度を高めるようにしてなるものである。
【００３４】
上記酸化剤としては、例えば、硝酸カリウム、過塩素酸カリウム、過塩素酸アンモニウム、硝酸バリウム等が好ましく用いられる。
【００３５】
上記可燃物としては、例えば、ホウ素粉末、マグネシウム粉末、炭粉末、チタン粉末などが好ましく用いられる。
【００３６】
上記金属粉末としては、例えば、アルミニウム粉末、マグナリウム粉末、マグネシウム粉末等が好ましく用いられる。
【００３７】
星７の表面には、星塗着用火薬１１を塗着する。図２参照。
【００３８】
星塗着用火薬１は、好ましくは、前記着火兼開発用火薬５と同一の組成を有する。
【００３９】
即ち、星塗着用火薬１１は、好ましくは、酸化剤と可燃物とよりなる爆発威力の高い火薬組成物を調合し、該火薬組成物に金属粉末を混ぜることにより爆発威力を抑制すると共に燃焼温度を高めるようにしてなるものとする。
【００４０】
星塗着用火薬１１における酸化剤と可燃物と金属粉末とは、前記着火兼開発用火薬５におけるものと同一のもので差し支えない。
【００４１】
星７の表面に星塗着用火薬１１を塗着する場合には、星７の組成は特に限定されないが、この場合における星７の組成の一例をあげれば下記の通りである。
過塩素酸カリウム：１０重量部
硝酸バリウム：３５重量部
マグナリウム：３０重量部
硫黄：２２重量部
バインダー：３重量部
【００４２】
前記星７は、例えば、液状ポリブタジエン又は液状ポリプロピレンを硬化剤としてのジイソシアネート化合物と反応させてなるゴム状ポリマーを含むものであってもよい。即ち、星７は、例えば、該ゴム状ポリマーと発色剤と酸化剤とよりなる花火組成物により形成されたものであってもよい。
【００４３】
上記発色剤としては、例えば、ストロンチウム、硫酸バリウム、アルミニウム粉末、炭酸ナトリウム等が好ましく用いられる。
【００４４】
上記酸化剤としては、例えば、硝酸カリウム、過塩素酸カリウム、過塩素酸アンモニウム、硝酸バリウム等が好ましく用いられる。
【００４５】
この場合には、ゴム状ポリマーと発色剤と酸化剤とよりなる花火組成物をナイフ等の切断具により適宜の大きさに切断して星７となす。
【００４６】
ゴム状ポリマーを含む星７を用いる場合には、該星７の表面に前記星塗着用火薬１１を塗着することは必ずしも必要ではない。
【００４７】
星４は、紙片、プラスチック片、金属片等の飾材であってもよい。
【００４８】
玉皮３は、例えば紙製又はポリプロピレン、ポリエチレン、フッ素樹脂等の合成樹脂製とする。
【００４９】
玉皮３は、一例として、一対の中空半球体３ａ、３ｂを紙テープ１３により球状に貼り合わせてなるものとする。一方の中空半球体３ｂには導火線９の挿通孔１５を形成する。図３参照。因みに、一対の中空半球体３ａ、３ｂを相互に強力に固着すると、玉皮３が開発しないおそれがある。
【００５０】
図４において、符号１７に示すものは、屋内用打ち揚げ花火１を打ち揚げるための打ち揚げ筒である。打ち揚げ筒１７内の底部上に打ち揚げ火薬１９を配設する。打ち揚げ筒１７内の底部には打ち揚げ火薬用導火線２１の一端２１ａを臨ませ、該打ち揚げ火薬用導火線２１の他端２１ｂを打ち揚げ筒１７の外部に露出させる。なお、符号２３に示すものは、打ち揚げ筒１７の基台である。
【００５１】
図５は、屋内におけるテーブル２５上に載置した打ち揚げ筒１７から屋内用打ち揚げ花火１を打ち揚げた状態を示す。テーブル２５上には、カップ２７、皿２９等が並べられている。符号３１に示すものは建物の床、符号３３に示すものは建物の天井である。
【実施例１】
【００５２】
直径１〜２ｍｍの星７、７・・・の表面に黒色火薬からなる星塗着用火薬１１を塗着することにより、星７、７・・・の着火性を向上させた。直径１０ｍｍの中空ポリプロピレンボールに導火線９の挿通孔１５を形成した。中空ポリプロピレンボールを鋏により一対の中空半球体３ａ、３ｂに切断した。一方の中空半球体３ｂにおける導火線９の挿通孔１５に導火線９を挿通し、該中空半球体３ｂ内に星７、７・・・と着火兼開発用火薬５とを満たした。他方の中空半球体３ａにも星７、７・・・と着火兼開発用火薬５を満たした。一対の中空半球体３ａ、３ｂを相互に接合させて紙テープ１３により貼り合わせた。以上の如く作成した屋内用打ち揚げ花火１を、図４、図５に示すように、屋内にて打ち揚げ筒１７により打ち揚げた。
【実施例２】
【００５３】
液状ポリブタジエン又は液状ポリプロピレンを硬化剤としてのジイソシアネート化合物と反応させてなるゴム状ポリマーを含む花火組成物をナイフにより１ｍｍ角程度に切断して星７、７・・・を作成した。これら各星７は、過塩素酸アンモニウム７５重量部とアルミニウム粉末１５重量部とゴム状ポリマー１０重量部とよりなる。これらの星７、７・・・は、着火性が良いため、表面に星塗着用火薬１１を塗着する必要はない。着火兼開発用火薬５は、硝酸カリウム８重量部とホウ素粉末２重量部とを混合し、この混合物に更にアルミニウム粉末３０重量部を混合してなるものである。その他の点においては、前記請求項１と同様である。
【実施例３】
【００５４】
星７、７・・・として、１〜２ｍｍに切断した色紙を用いた。着火兼開発用火薬５として、色紙の色を変えないような白色の混合物を用いた。この混合物は、過塩素酸カリウム８重量部とセルロース粉末２重量部とよりなるものである。その他の点においては、前記請求項１と同様である。
【図面の簡単な説明】
【００５５】
【図１】本発明による屋内用打ち揚げ花火の一例を示す断面図である。
【図２】表面に星塗着用火薬を塗着した星の断面図である。
【図３】中空半球体と紙テープと導火線とを示す分解図である。
【図４】打ち揚げ筒を示す断面図である。
【図５】本発明による屋内用打ち揚げ花火を屋内で打ち揚げた状態を示す正面図である。
【符号の説明】
【００５６】
１  屋内用打ち揚げ花火
３  玉皮
３ａ  中空半球体
３ｂ  中空半球体
５  着火兼開発用火薬
７  星
９  導火線
９ａ  一端
９ｂ  他端
１１  星塗着用火薬
１３  紙テープ
１５  挿通孔
１７  打ち揚げ筒
１９  打ち揚げ火薬
２１  打ち揚げ火薬用導火線
２１ａ  一端
２１ｂ  他端
２３  基台
２５  テーブル
２７  カップ
２９  皿
３１  建物の床
３３  建物の天井
【図１】
2006308260.tif 000003
【図２】
2006308260.tif 000004
【図３】
2006308260.tif 000005
【図４】
2006308260.tif 000006
【図５】
2006308260.tif 000007